【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
遊技球が入球可能な始動入球口と、
識別情報を変動表示及び停止表示可能な識別情報表示部と、
開状態と閉状態を採り得る可変入賞口と、
演出を表示可能な演出表示部と、
遊技の進行を制御する主遊技部と、
演出の表示制御を司る副遊技部と
を備え、
主遊技部は、
始動入球口への遊技球の入球に基づき、乱数を取得する乱数取得手段と、
乱数取得手段により乱数が取得された際に識別情報変動開始条件を充足していない場合、識別情報変動開始条件を充足するまで、当該取得された乱数を保留として一時記憶する保留手段と、
ある保留に関する識別情報変動開始条件を充足した場合、当該ある保留に係る前記乱数に基づき、識別情報の表示内容を決定する識別情報表示内容決定手段と、
識別情報表示内容決定手段により決定された識別情報の表示内容に従い、識別情報表示部にて識別情報を変動表示した後に識別情報を停止表示するよう制御する識別情報表示制御手段と、
識別情報表示部にて停止表示された識別情報が所定態様である場合、可変入賞口を開状態とする特別遊技を実行可能な特別遊技実行手段と、
副遊技部側で実行される演出表示に際して必要な遊技情報を副遊技部側へ送信する遊技情報送信手段と
を備え、
副遊技部は、
主遊技部側から送信された遊技情報を受信する遊技情報受信手段と、
遊技情報受信手段により受信された遊技情報に基づき、演出表示部にて表示され得る演出表示内容を決定する演出表示内容決定手段と、
演出表示内容決定手段により決定された演出表示内容を演出表示部にて表示するよう制御する演出表示制御手段と
を備え、
主遊技部側にて一時記憶されている保留の個数と同数となる画像オブジェクトを保留識別情報として表示可能であり、
主遊技部側にて一時記憶されている或る保留に関する遊技予定内容に基づき、当該或る保留と対応する保留識別情報の表示態様を或る表示態様にて表示した後、当該或る表示態様にて表示した時点での保留識別情報の表示個数から保留識別情報の表示個数に変化があった後にて所定条件を充足した場合、当該或る保留と対応する保留識別情報の表示態様を当該或る表示態様とは異なる表示態様にて再表示し得るよう構成されている
ことを特徴とするパチンコ遊技機。
【手続補正２】
【補正対象書類名】明細書
【補正対象項目名】００１６
【補正方法】変更
【補正の内容】
【００１６】
本態様に係るパチンコ遊技機は、
遊技球が入球可能な始動入球口と、
識別情報を変動表示及び停止表示可能な識別情報表示部と、
開状態と閉状態を採り得る可変入賞口と、
演出を表示可能な演出表示部と、
遊技の進行を制御する主遊技部と、
演出の表示制御を司る副遊技部と
を備え、
主遊技部は、
始動入球口への遊技球の入球に基づき、乱数を取得する乱数取得手段と、
乱数取得手段により乱数が取得された際に識別情報変動開始条件を充足していない場合、識別情報変動開始条件を充足するまで、当該取得された乱数を保留として一時記憶する保留手段と、
ある保留に関する識別情報変動開始条件を充足した場合、当該ある保留に係る前記乱数に基づき、識別情報の表示内容を決定する識別情報表示内容決定手段と、
識別情報表示内容決定手段により決定された識別情報の表示内容に従い、識別情報表示部にて識別情報を変動表示した後に識別情報を停止表示するよう制御する識別情報表示制御手段と、
識別情報表示部にて停止表示された識別情報が所定態様である場合、可変入賞口を開状態とする特別遊技を実行可能な特別遊技実行手段と、
副遊技部側で実行される演出表示に際して必要な遊技情報を副遊技部側へ送信する遊技情報送信手段と
を備え、
副遊技部は、
主遊技部側から送信された遊技情報を受信する遊技情報受信手段と、
遊技情報受信手段により受信された遊技情報に基づき、演出表示部にて表示され得る演出表示内容を決定する演出表示内容決定手段と、
演出表示内容決定手段により決定された演出表示内容を演出表示部にて表示するよう制御する演出表示制御手段と
を備え、
主遊技部側にて一時記憶されている保留の個数と同数となる画像オブジェクトを保留識別情報として表示可能であり、
主遊技部側にて一時記憶されている或る保留に関する遊技予定内容に基づき、当該或る保留と対応する保留識別情報の表示態様を或る表示態様にて表示した後、当該或る表示態様にて表示した時点での保留識別情報の表示個数から保留識別情報の表示個数に変化があった後にて所定条件を充足した場合、当該或る保留と対応する保留識別情報の表示態様を当該或る表示態様とは異なる表示態様にて再表示し得るよう構成されている
ことを特徴とするパチンコ遊技機である。
＜付記＞
尚、以下に本態様とは異なる別態様について列記しておくこととするが、これらには何ら限定されることなく実施することが可能である。
本別態様（１）は、
遊技球が流入可能な始動入球口（特図始動口２１１０）、
第一識別情報（特別図柄）を変動表示及び停止表示可能な第一識別情報表示部（特図表示部２１３１）、
開状態と閉状態を採り得る可変入賞口（大入賞口２１２０）、
前記始動入球口（特図始動口２１１０）への遊技球の流入に基づき、第一乱数を取得する第一乱数取得手段（特図乱数取得判定実行手段１１２１）、
前記第一乱数取得の際に第一識別情報変動開始条件を充足していない場合、前記第一識別情報変動開始条件を充足するまで、所定数を上限として前記第一乱数を入球順に一時記憶する保留手段（特図保留手段１１３１）と、
前記第一識別情報変動開始条件を充足した場合、前記保留手段（特図保留手段１１３１）内の当該順番の前記第一乱数と前記保留手段（特図保留手段１１３１）内に一時記憶されている前記第一乱数の個数とに基づき、第一識別情報（特別図柄）の表示内容を決定する第一識別情報表示内容決定手段（特図内容決定手段１１４１）、
前記第一識別情報（特別図柄）の表示内容を決定する際に前記第一識別情報表示内容決定手段（特図内容決定手段１１４１）により参照される、前記第一乱数の個数と対応して設けられた複数の第一識別情報表示内容決定用参照テーブル、
前記第一識別情報表示内容決定手段（特図内容決定手段１１４１）により決定された第一識別情報（特別図柄）の前記表示内容に従い、前記第一識別情報（特別図柄）を変動表示した後に停止識別情報を前記第一識別情報表示部（特図表示部２１３１）に表示するよう制御する第一識別情報表示制御手段（特図制御手段１１５１）、
前記第一識別情報（特別図柄）に係る前記停止識別情報が所定態様である場合、前記可変入賞口（大入賞口２１２０）を開状態とする特別遊技状態への移行判定を実行する特別遊技移行判定手段（条件判定手段１１７１）、及び
前記特別遊技移行判定手段（条件判定手段１１７１）が特別遊技状態に移行すると判定した場合、前記可変入賞口（大入賞口２１２０）を開状態とする特別遊技を実行するための特別遊技実行手段（特別遊技実行手段１１７３）
を管理する主遊技部（メイン基板）と、
第二識別情報（装飾図柄）を変動表示及び停止表示可能な第二識別情報表示部（装図表示部２１４１）、
前記第一識別情報表示内容決定手段（特図内容決定手段１１４１）が決定した前記第一識別情報（特別図柄）の表示内容に基づき、第二識別情報（装飾図柄）の表示内容を決定する第二識別情報表示内容決定手段（装図表示内容決定手段２１５２ａ−１）、
前記第二識別情報表示内容決定手段（装図表示内容決定手段２１５２ａ−１）が決定した表示内容に基づき、前記第二識別情報表示部（装図表示部２１４１）上で前記第二識別情報（装飾図柄）の表示を実行するよう制御する第二識別情報表示制御手段（装飾図柄表示制御手段２１５２ａ）、
前記保留手段（特図保留手段１１３１）内に一時記憶されている前記第一乱数の個数を、その個数と同数の保留識別情報として表示可能な保留識別情報表示手段（装図保留表示部２１４２）、
前記保留手段（特図保留手段１１３１）内に前記第一乱数が一時記憶された場合、前記保留識別情報表示手段（装図保留表示部２１４２）上にこの一時記憶された前記第一乱数と対応した前記保留識別情報の表示を実行するよう制御する保留識別情報表示制御手段（装図保留情報表示制御手段２１５２ｂ）、
を管理する副遊技部（サブ基板）と
を有しているパチンコ遊技機において、
前記主制御部（メイン基板）は、
前記保留手段（特図保留手段１１３１）内に前記第一乱数が一時記憶された際、前記副遊技部（サブ基板）側に対して当該第一乱数に関する情報を送信する保留情報送信手段（保留先読み情報送信手段１１３３ａ）
を更に管理していると共に、
前記副制御部（サブ基板）は、
前記保留情報送信手段（保留先読み情報送信手段１１３３ａ）から送信された前記第一乱数に関する情報を一時記憶する第一乱数情報一時記憶手段（メイン側情報一時記憶手段２１５１ａ）
を更に管理しており、
前記保留識別情報表示制御手段（装図保留情報表示制御手段２１５２ｂ）は、
前記第一乱数情報一時記憶手段（保留先読み情報一時記憶手段２１５２ｂ−２−１）に前記第一乱数に関する情報が一時記憶された場合、当該情報に基づいて第二識別情報（装飾図柄）の表示内容が所定の表示結果となるか否かを事前判定する第二識別情報表示内容先読み手段（装図保留情報表示制御手段２１５２ｂ）と、
前記第二識別情報表示内容先読み手段（装図保留情報表示制御手段２１５２ｂ）が事前判定した前記第二識別情報（装飾図柄）の表示内容に関する先読み情報を一時記憶するための第二識別情報表示内容先読み結果一時記憶手段（保留先読み情報一時記憶手段２１５２ｂ−２−１）と
を有しており、
前記第二識別情報表示内容先読み手段（装図保留情報表示制御手段２１５２ｂ）は、ある第一乱数に関する第二識別情報（装飾図柄）の表示内容先読み結果が前記第二識別情報表示内容先読み結果一時記憶手段（保留先読み情報一時記憶手段２１５２ｂ−２−１）中に一時記憶されている状況下、前記第一乱数情報一時記憶手段（メイン側情報一時記憶手段２１５１ａ）内に別の第一乱数に関する情報が新たに一時記憶された場合、前記第一乱数情報一時記憶手段（メイン側情報一時記憶手段２１５１ａ）内に一時記憶された前記ある第一乱数に関する情報に基づいて第二識別情報の表示内容が所定の表示結果となるか否かを再度事前判定した後、前記第二識別情報表示内容先読み結果一時記憶手段（保留先読み情報一時記憶手段２１５２ｂ−２−１）内に一時記憶されていた前記ある第一乱数に関する従前の先読み情報を再度事前判定した先読み情報に更新する書き換え処理を実施し、
保留識別情報表示制御手段（装図保留情報表示制御手段２１５２ｂ）は、前記第二識別情報表示内容先読み結果一時記憶手段（保留先読み情報一時記憶手段２１５２ｂ−２−１）中に一時記憶されている前記先読み情報に基づき、前記保留識別情報の内容を決定する
ことを特徴とするパチンコ遊技機である。
本別態様（２）は、前記第二識別情報表示内容先読み手段（装図保留情報表示制御手段２１５２ｂ）は、前記第二識別情報表示内容先読み結果一時記憶手段（保留先読み情報一時記憶手段２１５２ｂ−２−１）内に複数の第一乱数に関する第二識別情報（装飾図柄）の表示内容先読み結果が一時記憶されている状況下、前記第一乱数情報一時記憶手段（メイン側情報一時記憶手段２１５１ａ）内に別の第一乱数に関する情報が新たに一時記憶された場合、前記複数の第一乱数のすべてについて前記書き換え処理を実施する、前記別態様（１）のパチンコ遊技機である。
本別態様（３）は、再度事前判定するタイミングとして、前記第一乱数情報一時記憶手段（メイン側情報一時記憶手段２１５１ａ）内に前記第一乱数に関する情報が新たに一時記憶された時点であるか又はいずれかの第一乱数が前記第一識別情報変動開始条件を充足した時点を含む、前記別態様（１）又は（２）のパチンコ遊技機である。
本別態様（４）は、前記副制御部（サブ基板）は、
遊技者の操作により出力信号が発せられる操作手段（操作ボタン４０００）
を更に管理しており、
再度事前判定するタイミングとして、所定条件下で前記操作手段（操作ボタン４０００）から出力信号が発せられた場合を含む、前記別態様（１）〜（３）のいずれか一つのパチンコ遊技機である。
本別態様（５）は、前記副制御部（サブ基板）は、
所定情報（例えば予告）が出力可能な所定情報出力部（演出表示装置２１４０）、
前記第二識別情報（装飾図柄）の変動開始以後、所定条件下で前記操作手段（操作ボタン４０００）から出力信号が発せられた場合に前記所定情報出力部（演出表示装置２１４０）から所定情報（例えば予告）を出力する情報出力処理を実行する情報出力制御手段（予告表示制御手段２１５２ｄ）、及び
前記操作手段（操作ボタン４０００）から出力信号が発せられた場合、前記書き換え処理及び前記情報出力処理のいずれの処理を実行するのかを制御する調整手段（表示制御手段２１５２）
を更に管理している、前記別態様（４）のパチンコ遊技機である。
本別態様（６）は、前記副制御部（サブ基板）は、
所定情報（例えば予告）が出力可能な所定情報出力部（演出表示装置２１４０）、
前記第二識別情報（装飾図柄）の変動開始以後、所定条件下で前記操作手段（操作ボタン４０００）から出力信号が発せられた場合に前記所定情報出力部（演出表示装置２１４０）から所定情報（例えば予告）を出力する情報出力処理を実行する情報出力制御手段（予告表示制御手段２１５２ｄ）、及び
前記操作手段（操作ボタン４０００）から出力信号が発せられた場合、前記書き換え処理及び前記情報出力処理の両方の処理を実行するよう制御する調整手段（表示制御手段２１５２）
を更に管理している、前記別態様（４）のパチンコ遊技機である。